(57)【要約】【課題】空気調和機の熱交換器等を構成する配管の内、三分岐配管に取り付け可能な、配管温度センサー取り付け装置を提供すること。【解決手段】配管温度センサー３を挟みながら固定する、三分岐管の曲面に断面が略Ｕ字型の配管温度センサー取り付け装置１４において、両側面に三分岐配管に固定用の固定部爪１６を設け、上部には配管温度センサー挿入部１８を設け、三分岐配管１０の曲面に配管温度センサーを取り付けることにより、配管に干渉せずに温度センサーを取り付けることができる。【選択図】図２
2006226594.tif 000002
【特許請求の範囲】
【請求項１】
空気調和機本体に搭載される熱交換器の冷媒配管に取りつけられる温度センサー取り付け装置であって、三分岐配管に固定される固定部とセンサ−取り付け部を設けて一体型にて構成され、三分岐配管に取り付け可能としたことを特徴とする温度センサー取り付け装置。
【請求項２】
固定部は熱交換器の冷媒配管における三分岐管形状に勘合する形状をなすことを特徴とする、請求項１記載の温度センサー取り付け装置。
【請求項３】
温度センサ−取り付け装置は熱交換器の三分岐配管の任意の一本の管に略沿って取り付け可能とした形状の構成としたことを特徴とする、請求項１記載の温度センサー取り付け装置。
【請求項４】
温度センサー取り付け部は温度センサーをバネ性を持つ薄板で形成したことを特徴としたことを特徴とする、請求項１記載の取り付け装置。
【請求項５】
温度センサー取り付け装置は樹脂あるいは金属で形成したことを特徴とする、請求項１〜４のいずれかに記載の取り付け装置。
【請求項６】
温度センサー取り付け部の端部に突起部を設けたことを特徴とする、請求項１〜５のいずれかに記載の取り付け装置。
【発明の詳細な説明】
【技術分野】
【０００１】
本発明は、配管温度センサー取り付け装置に関し、特に空気調和機の熱交換器等を構成する配管の内、三分岐配管に配管温度センサーを取り付ける、三分岐配管用の配管温度センサー取り付け装置に関するものである。
【背景技術】
【０００２】
従来、この種の温度センサー取り付け装置は、空気調和機の熱交換器等を構成する配管の内、Ｕ字配管の側面に配管温度センサーを挟みながら固定する、断面が略Ｕ字型の配管温度センサー取り付け装置があった（例えば、特許文献１参照）。
【０００３】
図４は、特許文献１に記載された、従来のＵ字配管用の配管温度センサー取り付け装置の側面および上面図である。
【０００４】
従来の熱交換器のＵ字配管に配管温度センサー取り付け装置と配管温度センサーの位置関係は、図に示すようにＵ字配管用の配管温度センサー取り付け装置１は、片側面２に配管温度センサー３の挿入部４と、反対側面に配管固定部５を備えた、断面が略Ｕ字型の構造としており、Ｕ字配管６の側面に配管温度センサー３を挟みながら固定する。
【０００５】
また、従来は図５に示す如く、Ｕ字配管６に直接ロウ材にてロウ付けされる取り付け部材７と配管センサーホルダー８を取り付け部材７にセンサー３を挿入することにより配管センサーホルダー８のバネ力により配管センサ３は取り付け部材７に固定される構成が用いられていた。
【特許文献１】特開平１１−３７６１８号公報
【発明の開示】
【発明が解決しようとする課題】
【０００６】
しかしながら、前記従来の構成では、図２のような、Ｕ字配管６の中央にもう一本、管９が増えた三分岐配管１０の場合、配管温度センサー３を固定するには、三分岐配管の中央の管９が、邪魔になり、また、温度センサー固定具を配管に直接ロウ付けする際、三分岐管のロウ付け部がその熱で溶解するため、取り付けることができないという課題を有していた。
【０００７】
本発明は、前記従来の課題を解決するもので、三分岐配管でも配管温度センサーを挟みながら固定することができる、三分岐配管用の温度センサー取り付け装置を提供することを目的とする。
【課題を解決するための手段】
【０００８】
前記従来の課題を解決するために、本発明の温度センサー取り付け装置は、空気調和機の熱交換器等を構成する配管の内、三分岐配管の中央の管の曲部に配管温度センサーを挟みながら固定する、または三分岐配管側面の縦方向に配管温度センサー取り付ける如く、片側面に配管固定部温度センサー挿入部と、反対側面に、三分岐配管固定部を設けたものである。
【０００９】
これによって、三分岐配管でも配管温度センサーを挟みながら配管に干渉せずに固定することができる。
【発明の効果】
【００１０】
本発明の三分岐配管用の配管温度センサー取り付け装置は、三分岐配管でも配管と干渉せずに温度センサーを挟みながら固定することができるので、温度センサーの取り付け、取り外しが容易で、工数削減が図れるものである。
【発明を実施するための最良の形態】
【００１１】
第１の発明は、空気調和機の熱交換器等を構成する配管の内、三分岐配管の曲部に配管温度センサーを挟みながら固定するする構成で、断面が略Ｕ字型形状になっており温度センサー取り付け部と三分岐配管曲部を挟み込む為の固定部を設けたことを特徴としたものである。これにより、三分岐管の曲部のほぼ中央に温度センサーを挟みながら固定することができる。
【００１２】
第２の発明は、第１の発明の三分岐配管用の温度センサー取り付け装置を、温度センサ
ー挿入部のある片側面と、反対側面に、内開きに向かい合うよう管に勘合する爪を設けたことを特徴としたものである。
【００１３】
これにより、配管温度センサーは取り付け部に挿入され、反対側に一体にて構成される、内開きに向かい合った爪形状の配管固定部が、三分岐配管の縦方向のＵ字管の内側に固定され、配管温度センサーは取り付け部に挿入、固定され、反対側に内開きになった爪形状の配管固定部がガイドになり、三分岐配管の内側のＵ字管の内側に固定することができる。
【００１４】
第３の発明は、特に、第１の発明の温度センサ−取り付け装置が熱交換器の三分岐配管の任意の一本の管に略沿って取り付け可能とした形状としたものである。
【００１５】
これにより、温度センサー取り付け部の近傍の必要スペースを最小限にすることができる。
【００１６】
第４の発明は、特に、第１〜４のいずれか１つの発明の三分岐配管用の温度センサー取り付け装置を、温度センサー取り付け装置は、弾性のある薄板で形成したことを特徴としたものである。
【００１７】
これにより、温度センサー取り付け装置を三分岐配管に取り付ける場合、ばね効果を利用できるので、より強固に三分岐配管に配管温度センサーを挟みながら固定することができ、かつ容易に外す等、着脱が容易である。
【００１８】
第５の発明は、特に、第１〜４のいずれか１つの発明の三分岐配管用の温度センサー取り付け装置を、温度センサー取り付け装置は、金属または樹脂で形成したことを特徴としたものである。
【００１９】
これにより、温度センサー取り付け装置を複雑な形状に成型し易くなり、いろいろな形状の三分岐配管や温度センサーに対応し易くなる。
【００２０】
第６の発明は、特に、第１〜５のいずれか１つの発明の温度センサー取り付け部の端部に突起部を設けたものである。
【００２１】
この構成をなすことにより、温度センサーが自重や振動で落下することがない。
【００２２】
以下、本発明の実施の形態について図面を参照しながら説明する。なお、この実施の形態によって、本発明が限定されるものではない。
【００２３】
（実施の形態１）
図１は、本発明の第１の実施の形態における空気調和機本体の断面図である。
【００２４】
１１は空気調和機本体で１３の送風機、三分岐配管１０、Ｕ字配管６等を付属した熱交換器１２とに構成されている。
【００２５】
図２は、配管温度センサー３、センサ−取り付け装置１４と三分岐配管１０の位置関係を示す構成図である。（ａ）は側面図、（ｂ）は正面図、（ｃ）は温度センサー取り付け装置の二面図である。
【００２６】
三分岐配管１０は図に示すごとく中央に６のＵ字管と９のＬ字管にてほぼ中央にてロー材１７にてロー付けにて構成されている。
【００２７】
センサ−取り付け装置１４は上部センサ−挿入固定部１８と前記三分岐配管への固定部１６とに構成されている。
【００２８】
以上のように構成された温度センサー取り付け装置について、以下その動作、作用を説明する。
【００２９】
空気調和機の熱交換器１２を構成する配管には、前記Ｕ字配管６ばかりでなく、前記Ｕ字配管６の真中に前記Ｌ字管９とに構成された前記三分岐配管１０を使用することもある。
【００３０】
この前記三分岐配管１０に温度センサー３を取り付けるには、図５に示す従来例にあるようにセンサホルダー７を三分岐管にロー付けする場合が考えられるが前記三分岐配管１０はＬ字管がロー付けされており前記配管センサ固定部７をロー付け作業の際、熱にて穴が開きガス漏れ等の課題あり不可である。
【００３１】
前記三分岐配管１０に温度センサーを取り付ける際はまず、前記温度センサー取り付け装置１４のセンサ−挿入部１８に温度センサー３を図２のように挿入し、端部に保有する位置決め部２４まで挿入する。
【００３２】
取り付け装置１４の左右面を少し開き、前記三分岐配管のＲ形状に合わせた取り付け固定部１６を合わせることで三分岐配管１０に図２に示す如く固定することができる。
【００３３】
この時、前記配管センサー３と三分岐配管１０は確実に密着され前記三分岐配管１０の温度を確実に測定できる。
【００３４】
また、左右を少し開くことにより容易に配管センサーを外すことも出来るものである。
【００３５】
（実施の形態２）
図３は、本発明の第２の実施の形態における温度センサー取り付け装置の構成図である。（ａ）は側面図、（ｂ）は正面図、（ｃ）は温度センサー取り付け装置の側面図である。
【００３６】
図において、温度センサー取り付け装置２０は温度センサー取り付け部２１と、三分岐管取り付け部２２とに構成され、三分岐配管１０の上下配管のＵ字部に内側より向かい合うように取り付け部２２を設けたものである。
【００３７】
以上のように構成された温度センサー取り付け装置について、以下その動作、作用を説
明する。
【００３８】
温度センサー取り付け装置２０は、三分岐配管１０の上下内面にバネ状、及び配管径に合わせたＲ形状に形成された取り付け部２２が形成され、側面には温度センサー保持部４がバネ状形状２１にて設けられている。
【００３９】
これにより温度センサー３は温度センサ−取り付け装置２０のセンサー挿入部４に挿入し端部に保有する位置決め部２４まで挿入することにより上下位置決められる。
【００４０】
センサー３は前記、三分岐配管１０のＬ字管９部に縦方向に挟みながら固定部２１によりＬ字管９に密着される。
【００４１】
センサー取り付け装置２０のセンサー保持部４の反対側面は三分岐配管１０に、取り付け部２２を配設し、三分岐管１０の取り付け逃げ部２３により、前記三分岐配管１０の内側に合わすように取り付けられ固定される。
【００４２】
温度センサー取り付け装置２０は、前記三分岐配管の内側に向かい合うように取り付け部２２設けてある為、取り付け部のＲ形状が、ガイドとなり前記三分岐配管の側面より、上下に軽くつまむことにより容易に取り付け、取外しができるものである。
【００４３】
（実施の形態３）
本発明の第３の実施の形態における温度センサー取り付け装置は、実施の形態１〜２いずれか１つの三分岐配管用の温度センサー取り付け装置１４、２０を、弾性のある薄板で形成したものである。温度センサー取り付け装置１４は、三分岐配管１０の曲面、２０は三分岐管１０の縦方向に温度センサー３を挟みながら固定し、動作、作用は、実施の形態１〜２と基本的に同じである。
【００４４】
しかし、配管温度センサー取り付け装置１４、２０を弾性のある薄板で形成することにより、三分岐配管１０に取り付ける場合、薄板のばね効果を利用できるので、より強固に前記三分岐配管１０に前記配管温度センサー３を挟みながら固定することができる。
【００４５】
（実施の形態４）
本発明の第４の実施の形態における温度センサー取り付け装置は、実施の形態１〜２いずれかの温度センサー取り付け装置１４、２０を、金属または樹脂で形成したものである。
【００４６】
温度センサー取り付け装置１４は、前記三分岐管１０の曲面、２０は前記三分岐配管１０の縦方向に温度センサー３を挟みながら固定する動作、作用は、実施の形態１〜２と基本的に同じである。
【００４７】
しかし、温度センサー取り付け装置１４、２０を金属または樹脂で形成することにより、温度センサー取り付け装置１４、２０を複雑な形状に成型し易くなり、いろいろな形状の三分岐配管１０や配管温度センサー３に対応し易くなる。
【００４８】
以上のように、本実施の形態においては、空気調和機の熱交換器等を構成する配管の内、従来、前記三分岐管に配管温度センサー取り付けられなかったが三分岐管のＬ字管曲面に前記配管温度センサー３を挟みながら固定する、Ｌ字管に縦方向に挟みながら固定する温度センサー取り付け装置１４、２０において、前記取り付け装置１４にはセンサー挿入部１８、固定部１６を設け、取り付け装置２０には同様にセンサー固定部２１、三分岐管固定部２２を設けたので、三分岐配管１０には、温度センサー３を挟みながら固定するこ
とができるので、温度センサー３の取り付け、取外しが容易で、手間が省ける。
【産業上の利用可能性】
【００４９】
以上のように、本発明の温度センサー取り付け装置は、空気調和機の熱交換器等を構成する配管の内、三分岐配管に、配管温度センサーを挟みながら固定することを特徴としているので、空気調和機の熱交換器等を構成する配管ばかりでなく、他の三分岐配管への配管温度センサー取り付けにも適用できる。
【図面の簡単な説明】
【００５０】
【図１】本発明の実施の形態１における空気調和機本体断面図
【図２】（ａ）は本発明の実施の形態１における側面図（ｂ）は正面図（ｃ）は温度センサー取り付け装置の二面図
【図３】（ａ）は本発明の実施の形態２における側面図（ｂ）は正面図（ｃ）は温度センサー取り付け装置の側面図
【図４】（ａ）は従来の温度センサー取り付け装置の側面図（ｂ）は平面図
【図５】従来のＵ字管に取り付ける温度センサー固定方法の構成図
【符号の説明】
【００５１】
１４  温度センサー取り付け装置
１６  温度センサー固定部
１８  温度センサー挿入部
２０  温度センサー取り付け装置
２１  温度センサー挿入部
２２  温度センサー固定部
２４  突起部
【図１】
2006226594.tif 000003
【図２】
2006226594.tif 000004
【図３】
2006226594.tif 000005
【図４】
2006226594.tif 000006
【図５】
2006226594.tif 000007